【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
記憶手段に複数の処理ブロックデータを格納して、該記憶手段のブロック単位のデータを処理するデータ処理装置であって、
前記記憶手段からデータを読み出して任意のブロックデータに対して符号付加処理を行う第１の処理手段と、
前記記憶手段からデータを読み出して任意のブロックデータに対して変調処理を行う第２の処理手段と、
処理開始信号入力によりインクリメントして処理するブロック数を貯めるとともに、前記第１の処理手段が１ブロック処理する毎にデクリメントして残処理ブロック数をカウントする残処理数カウンタと、
前記第１の処理手段が１ブロック処理する毎にインクリメントする第１のブロックカウンタと、
前記第２の処理手段が１ブロック処理する毎にインクリメントする第２のブロックカウンタと、
前記残処理数カウンタの値が０であるか否か比較する第１の比較手段と、
前記第１および第２のブロックカウンタの値を比較する第２の比較手段と、
前記第１の比較手段の結果に基づいて符号付加処理を許可する第１の処理許可信号を生成する第１の処理許可信号生成手段と、
前記第２の比較手段の結果に基づいて変調処理を許可する第２の処理許可信号を生成する第２の処理許可信号生成手段と、を有し、
設定した処理ブロック数を連続して処理することを特徴とするデータ処理装置。
【請求項２】
請求項１に記載のデータ処理装置において、
前記第１の処理許可信号生成手段は、前記処理開始信号入力時に許可信号を有効として出力し、前記第１の処理手段の１ブロック処理終了時に前記第１の比較手段において、前記残処理数カウンタの値が０の場合に許可信号を無効として出力し、カウンタ値が０でない場合には許可信号を有効として出力し、
前記第１の処理手段は、前記許可信号が有効の場合のみ処理を開始することを特徴とするデータ処理装置。
【請求項３】
請求項１に記載のデータ処理装置において、
前記第２の処理許可信号生成手段は、前記第１の処理手段の１ブロック処理終了時に許可信号を有効として出力し、前記第２の処理手段の１ブロック処理終了時に前記第２の比較手段において第１および第２のブロックカウンタの値が同じ場合に許可信号を無効として出力し、両カウンタ値の差が所定の値の場合には許可信号を有効として出力し、
前記第２の処理手段は、前記許可信号が有効の場合のみ処理を開始することを特徴とするデータ処理装置。
【請求項４】
請求項１に記載のデータ処理装置において、
さらに、前記第１の処理手段の対象データを切り替える信号を生成する第１の処理切り替え手段と、
前記第２の処理手段による出力データのブロック単位での出力開始タイミングを生成する先頭検出手段と、を有することを特徴とするデータ処理装置。
【請求項５】
請求項４に記載のデータ処理装置において、
前記第１の処理切り替え手段は、前記第２の処理手段のブロック単位での開始のタイミングにおいて処理切り替え信号が１にセットされて、第１の処理手段の１ブロック終了タイミングで０にリセットされることを特徴とするデータ処理装置。
【請求項６】
請求項４に記載のデータ処理装置において、
前記第２の処理手段は、前記記憶手段から読み出されたデータを処理して外部へ出力する手段を有し、
前記先頭検出手段は、前記第２の処理手段におけるブロック単位のデータ処理を開始するタイミングを示す先頭検出信号を生成するとともに、前記第２の処理手段による出力データの出力中にエラーがあるかどうか判断し、次ブロックの先頭検出信号出力時に同時に前ブロック処理時のエラーの有無を出力することを特徴とするデータ処理装置。
【請求項７】
請求項４に記載のデータ処理装置において、
前記先頭検出手段は、前記第２の処理手段によるデータ出力中のエラーの有無を出力することができ、エラーありを出力した場合、前記残処理数カウンタをインクリメントし、第１と第２のブロックカウンタをデクリメントして、１ブロック分の処理を追加することを特徴とするデータ処理装置。
【請求項８】
請求項４に記載のデータ処理装置において、
前記第１の処理許可信号生成手段は、前記処理開始信号入力時に許可信号を有効として出力し、前記第１の処理手段の１ブロック処理終了時に許可信号を無効にするものであって、前記第２の処理手段による処理開始時に再び許可信号を有効として出力し、前期第１の処理切り替え手段における処理切り替え信号が０にリセットされて、且つ、前記第１の処理手段の１ブロック終了時に前記第１の比較手段において前記残処理数カウンタの値が０の場合に許可信号を無効として出力し、カウンタ値が０でない場合には許可信号を有効として出力し、前記第１の処理手段は前記許可信号が有効の場合のみ処理を開始することを特徴とするデータ処理装置。
【請求項９】
請求項４に記載のデータ処理装置において、
前記第２の処理許可信号生成手段は、前記第１の処理手段の１ブロック処理終了時に許可信号を有効として出力し、前記第２の処理手段の１ブロック処理終了時には許可信号を無効として出力するものであって、前記先頭検出手段による先頭検出信号出力時に前記第２の比較手段において第１および第２のブロックカウンタの値が同じ場合に許可信号を無効として出力し、両カウンタ値の差が所定の値の場合には許可信号を有効として出力し、前記第２の処理手段は前記許可信号が有効の場合のみ処理を開始することを特徴とするデータ処理装置。
【請求項１０】
記憶手段に複数の処理ブロックデータを格納して、該記憶手段のブロック単位のデータを処理するデータ処理装置であって、
前記記憶手段からデータを読み出して任意のブロックデータに対して符号付加処理を行う第１の処理手段と、
前記記憶手段からデータを読み出して任意のブロックデータに対して変調処理を行う第２の処理手段と、
処理開始信号入力によりインクリメントして処理するブロック数を貯めるとともに、前記第１の処理手段が１ブロック処理する毎にデクリメントして残処理ブロック数をカウントする第１の残処理数カウンタと、
前記第１の処理手段が１ブロック処理する毎にインクリメントし、前記第２の処理手段が１ブロック処理する毎にデクリメントして第２の処理の残処理ブロック数をカウントする第２の残処理数カウンタと、
前記第１の残処理数カウンタ値が０であるか否か比較する第１の比較手段と、
前記第２の残処理数カウンタ値が０であるか否か比較する第２の比較手段と、
前記第１の比較手段の結果に基づいて符号付加処理を許可する第１の処理許可信号を生成する第１の処理許可信号生成手段と、
前記第２の比較手段の結果に基づいて変調処理を許可する第２の処理許可信号を生成する第２の処理許可信号生成手段と、を有し、
設定した処理ブロック数を連続して処理することを特徴とするデータ処理装置。
【請求項１１】
記憶手段に複数の処理ブロックデータを格納して、該記憶手段のブロック単位のデータを処理するデータ処理装置であって、
外部から入力されたデータを前記記憶手段に記録する入力手段と
前記記憶手段からデータを読み出して任意のブロックデータに対して符号付加処理を行う第１の処理手段と、
前記記憶手段からデータを読み出して任意のブロックデータに対して変調処理を行う第２の処理手段と、
前記入力手段が１ブロック処理する毎にインクリメントし、前記第１の処理手段が１ブロック処理する毎にデクリメントして第１の処理の残処理数をカウントする第１の残処理数カウンタと、
前記第１の処理手段が１ブロック処理する毎にインクリメントし、前記第２の処理手段が１ブロック処理する毎にデクリメントして第２の処理の残処理数をカウントする第２の残処理数カウンタと、
前記第１の残処理数カウンタ値が０であるか否か比較する第１の比較手段と、
前記第２の残処理数カウンタ値が０であるか否か比較する第２の比較手段と、
前記第１の比較手段の結果に基づいて符号付加処理を許可する第１の処理許可信号を生成する第１の処理許可信号生成手段と、
前記第２の比較手段の結果に基づいて変調処理を許可する第２の処理許可信号を生成する第１の処理許可信号生成手段を有し、
設定した処理ブロック数を連続して処理することを特徴とするデータ処理装置。